(57)【要約】      （修正有）【課題】極めて多数の香料サンプルを官能試験に付す場合、香料試験紙とそれにつけた香料成分との関連付けをして大量の香料試験紙を置いていくことにより、作業スペースが大幅に狭まるという点を解決するための香料瓶用のキャップ及びキャップカバーを提供する。【解決手段】香料瓶の外表面に香料試験紙４を保持できる溝３を設けたことを特徴とするキャップ２もしくはキャップカバー。キャップは、キャップの外表面に香料試験紙を差し込んで保持できる溝が設けられているため、香料の官能試験を行う際、香料成分をつけた香料試験紙をこの溝に差し込んで保持できる。【選択図】図１
0003140757.tif 000002
【実用新案登録請求の範囲】
【請求項１】
外表面に香料試験紙を保持できる溝を設けたことを特徴とする香料瓶用のキャップ。
【請求項２】
香料瓶用のキャップに被せて使用することが可能なキャップカバーであって、外表面に香料試験紙を保持できる溝を設けたことを特徴とするキャップカバー。
【考案の詳細な説明】
【技術分野】
【０００１】
本考案は、香料瓶用のキャップ及びキャップカバーに関するものである。
【背景技術】
【０００２】
調合香料は、少量多品種製品が原則であり、基本的に依頼があったとき、それに応じて調合されるオーダーメイドの製品である。調合香料は、１万種前後あるともいわれている香料原材料を、熟練した調香師（フレーバリスト、パフューマー）によって組み合わされることにより作成される。調香師は、一般に個別のキャップ付香料瓶に入れて保管されている香料サンプルを、香料試験紙（試香紙、ムエット）と呼ばれる匂い物質を吸着させる短冊状の紙につけて評価している。
【０００３】
また香料は、トップノート、ミドルノート、ラストノートというように、時間が経つにつれてその香調が変化する特性を持っており、最終的には人間の嗅覚・味覚による官能試験が不可欠である。香料の経時的変化を調べるため、香料試験紙に香料をつけて長時間放置し、調香師によって評価することは、香料の調合にとって重要な確認事項である。
【０００４】
しかしながら、官能試験において極めて多数のサンプルを評価する場合、香料の経時的変化まで確認することになると、大量の香料試験紙を長時間放置しなければならず、そのための香料試験紙の置き場スペースに悩まされたり、香料試験紙にどのような香料をつけたか混乱したりする。
【０００５】
このような香料試験紙の混乱は、営業担当者によるプレゼンテーション等においてもサンプルの正確な香りを伝えられなかったり、顧客の印象にも残らず、有益であるとは言えないし、サンプル提供品が選ばれる後押しをする助けにもならない。営業担当者等は、混乱なくプレゼンテーションが可能であるような使い勝手の良い香料瓶を使用し、香料サンプルを提供したり保管したり出来るようにすることで、顧客に対するサービスを向上させたいと望んでいる。
【０００６】
これらを解決するための方法として、調香師や香料の営業担当者は様々な工夫を考え出してきた。まず、多数の香料サンプルを試験する際、大量の香料試験紙により作業スペースに悩まされる事態が起こる。この香料試験紙の置き場スペースを解決する手段として、市販のメモスタンドに香料試験紙を挟んだり、立てかけたりすることが従来実施されてきた。しかしながら、メモスタンドという特別の器具を準備しなければならない、香料試験紙と香料名の関連付けができない、などといった問題点があった。
【０００７】
また、置き場の整理を行うために、さらに、多量のサンプル瓶の取り違えを防止するために、サンプル瓶のキャップカバーに内容物の香料名を表示する考案（特許文献１）が開示されている。しかしながら、香料試験紙とこれに付けた香料との関連付けは別の解決手段を必要とする。例えば、香料試験紙につけた香料の視認を可能にするために、香料試験紙にメモ書きする手段が実施されてきた。この方法は、メモ書きすること自体がかなりの手間であり、仕事の効率が大幅に低下するといった大きな問題点がある。
【特許文献１】登録実用新案第３１０９１４０号
【考案の開示】
【考案が解決しようとする課題】
【０００８】
上記のように、多数の香料サンプルを官能試験に付す場合、香料試験紙とそれにつけた香料成分との関連付けができず、サンプルを誤認してしまうという点、さらに大量の香料試験紙を置いていくことにより、作業スペースが大幅に狭まるという点が本考案の解決しようとしている課題である。香料の評価を行う上で、これらの問題により、作業上の混乱を招き、仕事の効率が大幅に低下してしまう。
【課題を解決するための手段】
【０００９】
かかる目的を達成するための考案は、香料瓶の外表面に、香料試験紙を差し込んで保持することが可能な溝を設けたことを特徴とする香料瓶用のキャップを提供することである。
【考案の効果】
【００１０】
本考案のキャップは、キャップの外表面に香料試験紙を差し込んで保持できる溝が設けられているため、香料の官能試験を行う際、香料成分をつけた香料試験紙をこの溝に差し込んで保持できる。これにより、香料試験紙と香料成分との間で関連付けが可能となり、香料試験紙につけた香料成分がどのようなものかわからなくなる問題を解消することができる。同時に、香料試験紙の置き場スペースに悩まされる問題も解決できる。
【００１１】
上記の効果を有する本考案により、調香師による調香や営業担当者による顧客へのプレゼンテーションを円滑に行うことが可能となり、煩わしさの回避と作業時間の短縮が実現される。例えば、顧客へプレゼンテーションする際、顧客も香料試験紙の香調と香料瓶のラベル名とを容易に認識できるようになり、結果、顧客に対するサービスの向上を図ることができるとともに、プレゼンテーションの成功に結びつけることも可能となりうる。
【考案を実施するための最良の形態】
【００１２】
以下、本考案の構成を図１〜４に示す実施の形態に即して説明する。図１は、本考案の香料瓶用キャップを装着した香料瓶の斜視図である。図２は本考案のキャップを装着したときのキャップの断面図を示す。本キャップは、香料瓶（１）の上に被せるキャップ本体（２）と溝（３）からなり、溝に香料試験紙（４）を差し込めるようになっている。香料試験紙（４）は、香料を付けていない端を溝（３）に差し込んで保持する。
【００１３】
溝の位置は、キャップの外表面上であればどこでもよく、具体的に言うと、キャップの上部又は側面に配置するとよい。大量の香料試験紙によって窮屈になることがなく、作業スペースを効率よく利用することを考慮すると、溝をキャップ上部に配置することが最も好ましい。
【００１４】
香料試験紙を差し込む溝は、香料試験紙が差し込んで自立する深さ、具体的には０．１ｃｍ〜３ｃｍ、好ましくは０．３ｃｍ〜２．５ｃｍ、より好ましくは０．５ｃｍ〜２ｃｍ、最も好ましくは１．５ｃｍを用意すればよいが、香料瓶のキャップの形状により任意で変更することができる。また、この溝の幅は、香料試験紙の厚さにもよるが、０．５ｍｍ〜２ｍｍ、好ましくは０．７ｍｍ〜１．５ｍｍ、最も好ましくは０．８〜１．０ｍｍである。さらに、この溝の長さは、香料試験紙の幅とキャップの大きさにもよるが、１ｃｍ〜３ｃｍが好ましい。
【００１５】
キャップ上部の溝（３）は、図１においては一直線に配置したが、香料試験紙を差し込んで保持することができればどのような形態でもよい。例えば、直線状の溝を２本もしくはそれ以上にしたり、複数の溝を交差させたり、キャップの外周に沿った円形に溝を配置したり、実施者にとって使い勝手が良く、製造上不都合のない形態であれば、特に溝の形状、長さ、配置、本数などは制限されない。キャップを閉めたとき、香料瓶本体の口に溝の出っ張りが干渉しないよう、瓶の口よりも外側又は内側に、瓶の口に沿った形状に溝を配置することが好ましい。
【００１６】
また、本考案を実施するにあたって、外表面に溝のない既存品のキャップにも香料試験紙を差し込んで保持することができるように、図３に示したようなキャップの上から被せるキャップカバーの形態としてもよい。図４は本考案のキャップカバーをキャップの上部に装着したときのキャップカバーの断面図である。このキャップカバー（５）は、上述した本考案のキャップ（２）と同様、上部に香料試験紙を差し込める溝（３）を配している。キャップカバーの場合、既存の香料用キャップの上から装着することが可能なように一回り大きいサイズであることが好ましく、このキャップカバーは着脱可能である。また、キャップカバーの溝の形態、深さ、幅、長さは、上記のキャップに設けるものと同じでよい。
【００１７】
キャップ本体（２）、キャップカバー本体（５）の材質は特に制限されるものではないが、合成樹脂製、例えばポリプロピレンであることが好ましい。また、香料試験紙を差し込む溝の内部あるいは周辺を、ゴムのような摩擦係数の高い材質としたり、このような材質でコーティングしたりすると、香料試験紙を安定して立てかけることができ、考案の効果をよりいっそう高めることができる。尚、キャップカバーについては、取り付けるキャップ径が多少変わっても取り付けられるように、伸縮性を有するゴム様の素材を用いることが好ましい。
【産業上の利用可能性】
【００１８】
本考案によれば、多数の香料サンプルの官能試験又は営業等を行う場合に、サンプルの取り違いを防ぎ、香料試験紙の置き場に苦慮することがなくなるため、極めて有用である。
【図面の簡単な説明】
【００１９】
【図１】本考案の香料試験紙を差し込める溝をキャップ上部に設けた香料瓶の斜視図である。
【図２】本考案の香料瓶におけるキャップの断面図である。
【図３】本考案の香料試験紙を差し込める溝を上部に設けたキャップカバー付き香料瓶の斜視図である。
【図４】本考案の香料試験紙を差し込める溝を上部に設けたキャップカバー付き香料瓶におけるキャップカバーの断面図である。
【符号の説明】
【００２０】
１  香料瓶の胴部
２  香料瓶のキャップ部
３  溝
４  香料試験紙
５  キャップカバー
【図１】
0003140757.tif 000003
【図２】
0003140757.tif 000004
【図３】
0003140757.tif 000005
【図４】
0003140757.tif 000006